(57)【特許請求の範囲】
【請求項１】
写真又は写真用額縁が載置される天板部と当該天板部を支持する架台脚部とを有する仏式の写真台と、
前記天板部の上面に対して着脱可能な神式に対応する高欄とを備え、
前記仏式の写真台に前記高欄を取り付けることのみによって神式の写真台となり、
前記高欄は、前記仏式の写真台に対して磁石によって着脱可能とされている葬祭用具セット。
【請求項２】
位牌が載置される天板部と当該天板部とを支持する左右一対の脚部とを有する神式の位牌台と、
前記天板部の下側に対して前記左右一対の脚部を取り囲むように着脱可能な仏式に対応するカバー体とを備え、
前記神式の位牌台に前記カバー体を取り付けることのみによって仏式の位牌台となり、
前記カバー体は、前記神式の位牌台に対して磁石によって着脱可能とされている葬祭用具セット。
【請求項３】
神式の花立てと、
前記神式の花立ての前面に対して着脱可能な仏式に対応する装飾体とを備え、
前記神式の花立てに前記装飾体を取り付けることのみによって仏式の花立てとなり、
前記装飾体は、前記神式の花立てに対して磁石によって着脱可能とされている葬祭用具セット。
【発明の詳細な説明】
【技術分野】
【０００１】
本発明は、互いに異なる宗教形式に対応した葬祭用具セットに関するものである。
【背景技術】
【０００２】
葬儀などに用いられる葬祭用具は、例えば神式や仏式などの各宗教形式に対応した形態を有している。
【０００３】
寺院や神社等の場所で葬儀を行う場合には、それぞれ専用の葬祭用具が用意されているが、故人の自宅や公民館等といった場所で葬儀を行う場合には、例えば葬祭業者や葬祭用具レンタル業者等が、依頼された葬儀の様式に合った葬祭用具を用意する必要がある。このように葬祭業者や葬祭用具レンタル業者等は、それぞれ専用の葬祭用具を用意することが求められている。
【０００４】
そのため、葬祭業者や葬祭用具レンタル業者等は、神式専用の葬祭用具及び仏式専用の葬祭用具のために広い収納スペースを確保しなければならない。
【０００５】
そこで、特許文献１、２に示すように、神式及び仏式に兼用できる葬祭用具が考えられている。この葬祭用具は、本体に対して、神式用の模様や形状などの形態を有する神式用部品と仏式用の模様や形態などの形態を有する仏式用部品とを交換可能に構成している。そして、葬祭用具を神式とする場合には、本体に神式用部品を取り付け、仏式とする場合には、本体に仏式用部品を取り付ける。
【０００６】
しかしながら、この構成では、１つの葬祭用具に対して、神式用部品及び仏式用部品の２種類の部品を必ず用意しなければならず、部品の管理が煩雑となってしまう。
【先行技術文献】
【特許文献】
【０００７】
【特許文献１】実開平０６−７９７１６号公報
【特許文献２】特開２００４−１４７７４９号公報
【発明の概要】
【発明が解決しようとする課題】
【０００８】
そこで本発明は、上記問題点を一挙に解決すべくなされたものであり、互いに異なる宗教形式の両方に対応可能とするだけでなく、各宗教形式に対応させるための部品の点数を低減することを主たる所期課題とするものである。
【課題を解決するための手段】
【０００９】
すなわち本発明に係る葬祭用具セットは、第１の宗教形式に対応した第１の葬祭用具と、前記第１の宗教形式とは異なる第２の宗教形式に対応し、前記第１の葬祭用具に対して着脱可能な構成部品とを備え、前記構成部品を前記第１の葬祭用具の一部に取り付けることによって、前記第２の宗教形式に対応した第２の葬祭用具となることを特徴とする。
【００１０】
このような葬祭用具セットであれば、第１の宗教形式に対応した第１の葬祭用具に構成部品を取り付けることによって、第２の宗教形式に対応した第２の葬祭用具にできるので、第１の宗教形式の場合には、第１の葬祭用具そのものを用いることができ、第２の宗教形式の場合には第１の葬祭用具に構成部品を取り付ければよい。また、神式用及び仏式用の２種類の部品を必ず用意する必要が無く、各宗教形式に対応させるための部品の点数を削減することができる。
【００１１】
具体的には、前記第１の宗教形式は、神式又は仏式の一方であり、前記第２の宗教形式は、神式又は仏式の他方であることが望ましい。
【００１２】
第１の葬祭用具に対して構成部品を容易に着脱可能にするためには、前記構成部品は、前記第１の葬祭用具に対して磁石によって着脱可能とされていることが望ましい。
【００１３】
葬祭用具セットが神仏兼用の写真台の場合には、前記第１の葬祭用具は、写真又は写真用額縁が載置される天板部と当該天板部を支持する架台脚部とを有する仏式の写真台であり、前記構成部品は、神式に対応し、前記天板部の上面に取り付けられる高欄であることが望ましい。
【００１４】
葬祭用具セットが神仏兼用の位牌台の場合には、前記第１の葬祭用具は、位牌が載置される天板部と当該天板部とを支持する左右一対の脚部とを有する神式の位牌台であり、前記構成部品は、仏式に対応し、前記左右一対の脚部を取り囲むように前記天板部の下側に取り付けられるカバー体であることが望ましい。
【００１５】
葬祭用具セットが神仏兼用の花立ての場合には、前記第１の葬祭用具は、神式の花立てであり、前記構成部品は、仏式に対応し、前記花立ての前面に取り付けられる装飾体であることが望ましい。
【発明の効果】
【００１６】
このように構成した本発明によれば、構成部品を第１の葬祭用具の一部に取り付けることによって、第２の宗教形式に対応した第２の葬祭用具となるので、互いに異なる宗教形式の両方に対応可能とするだけでなく、各宗教形式に対応させるための部品の点数を低減することができる。
【図面の簡単な説明】
【００１７】
【図１】第１実施形態の写真台の仏式状態における正面図及び右側面図、並びに、構成部品の正面図である。
【図２】同実施形態の写真台の神式状態における正面図及び右側面図である。
【図３】第２実施形態の位牌台の神式状態における正面図及び右側面図、並びに、構成部品の平面図、正面図及び右側面図である。
【図４】同実施形態の位牌台の仏式状態における正面図及び右側面図である。
【図５】本実施形態の花立ての神式状態及び仏式状態を示す正面図である。
【発明を実施するための形態】
【００１８】
以下に本発明の各実施形態について図面を参照して説明する。
【００１９】
＜第１実施形態＞
第１実施形態に係る葬祭用具セット１００は、神仏兼用の写真台であり、図１及び図２に示すように、第１の葬祭用具である仏式の写真台２Ｂに対して、神式に対応する構成部品３が着脱可能にされたものである。
【００２０】
仏式の写真台２Ｂは、写真又は写真用額縁が載置される矩形平板状の天板部２１と当該天板部を支持する架台脚部２２とを有する。
【００２１】
天板部２１の背面側には、写真又は写真用額縁が立てかけられる背もたれ部２３が設けられており、天板部２１の前面側には、写真又は写真用額物の下端部が係止する係止部２４が設けられている。
【００２２】
架台脚部２２は、天板部２１の四辺部を支持するものであり、その前面には、仏式に対応した彫刻が施された仏式装飾体２２１が設けられている。この仏式装飾体２２１は、架台脚部２２に対して磁石（不図示）により着脱可能に設けられている。なお、両者に磁石を設けても良いし、一方に磁石を設けて他方に磁性体金属を設けても良い。磁石及び磁性体金属は、例えば架台脚部２２に内蔵する等のように、外部からの美観を損なわない位置に設ける。
【００２３】
神式に対応する構成部品３は、天板部２１の上面に取り付けられる高欄である。この高欄３は、天板部２１の係止部２４よりも前に取り付けられる。具体的に高欄３は、天板部２１に対して磁石４により着脱可能に設けられている。なお、両者に磁石４を設けても良いし、一方に磁石４を設けて他方に磁性体金属（不図示）を設けても良い。磁石４及び磁性体金属は、例えば天板部２１に内蔵する等のように、外部からの美観を損なわない位置に設ける。また、この例では、架台脚部２２の前面の仏式装飾体２２１が取り外された状態で、当該前面に神式に対応した神式装飾体５が磁石（不図示）により取り付けられる。この場合、神式装飾体５も神式に対応する構成部品となる。
【００２４】
この構成において、仏式の写真台２Ｂに対して、高欄３を取り付けるとともに、仏式装飾体２２１及び神式装飾体５を交換することによって、神式の写真台２Ｓに変更できる。なお、上記では、仏式装飾体２２１を取り外して神式装飾体５を取り付けるようにしているが、交換部品を削減するためには、仏式装飾体２２１を覆うように仏式装飾体２２１の上に神式装飾体５を取り付ける構成としても良い。
【００２５】
＜第１実施形態の効果＞
このような神仏兼用の写真台１００であれば、仏式の写真台２Ｂに構成部品（高欄３及び神式装飾体５）を取り付けることによって、神式の写真台２Ｓにできるので、仏式の葬儀の場合には、仏式の写真台２Ｂそのものを用いることができ、神式の葬儀の場合には仏式の写真台２Ｂに構成部品（高欄３及び神式装飾体５）を取り付ければよい。また、神式用及び仏式用の２種類の部品を必ず用意する必要が無く、各宗教形式に対応させるための部品の点数を削減することができる。さらに、本実施形態では、磁石４により着脱可能に構成しているので、固定ねじ等を用いる必要が無く、交換及び固定作業を容易にすることができる。
【００２６】
＜第２実施形態＞
第２実施形態に係る葬祭用具セット１００は、神仏兼用の位牌台であり、図３及び図４に示すように、第１の葬祭用具である神式の位牌台６Ｓに対して、仏式に対応する構成部品７が着脱可能にされたものである。
【００２７】
神式用の位牌台６Ｓは、位牌が載置される矩形平板状の天板部６１と当該天板部６１とを支持する左右一対の脚部６２、６３とを有する。
【００２８】
仏式に対応する構成部品７は、左右一対の脚部６２、６３を取り囲むように天板部６１の下側に取り付けられるカバー体である。このカバー体７は、左右一対の脚部６２、６３を前面側、右側及び左側から取り囲む平面視概略コの字形状をなすものである。このカバー体７は、天板部６１の下に位置するものであり、カバー体７の上面と天板部６１の下面とが接触するように構成されている。そして、カバー体７は、天板部６１に対して磁石８により着脱可能に設けられている。なお、両者に磁石８を設けても良いし、一方に磁石８を設けて他方に磁性体金属を設けても良い。磁石８及び磁性体金属は、例えば天板部６１に内蔵する等のように、外部からの美観を損なわない位置に設ける。
【００２９】
＜第２実施形態の効果＞
このような神仏兼用の位牌台１００であれば、神式の位牌台６Ｓに構成部品（カバー体７）を取り付けることによって、仏式の位牌台６Ｂにできるので、神式の葬儀の場合には、神式の位牌台６Ｓそのものを用いることができ、仏式の葬儀の場合には神式の位牌台６Ｓに構成部品（カバー体７）を取り付ければよい。また、神式用及び仏式用の２種類の部品を必ず用意する必要が無く、各宗教形式に対応させるための部品の点数を削減することができる。さらに、本実施形態では、磁石８により着脱可能に構成しているので、固定ねじ等を用いる必要が無く、交換及び固定作業を容易にすることができる。
【００３０】
＜第３実施形態＞
第３実施形態に係る葬祭用具セット１００は、神仏兼用の花立てであり、図５に示すように、第１の葬祭用具である神式の花立て９Ｓに対して、仏式に対応する構成部品１０が着脱可能にされたものである。
【００３１】
仏式に対応する構成部品１０は、花立て９Ｓの前面に取り付けられる仏式装飾体である。そして、仏式装飾体１０は、神式の花立て９Ｓの前壁に対して磁石（不図示）により着脱可能に設けられている。なお、両者に磁石を設けても良いし、一方に磁石を設けて他方に磁性体金属を設けても良い。磁石及び磁性体金属は、例えば花立て９Ｓの前壁に内蔵する等のように、外部からの美観を損なわない位置に設ける。
【００３２】
＜第３実施形態の効果＞
このような神仏兼用の花立て１００であれば、神式の花立て９Ｓに構成部品（仏式装飾体１０）を取り付けることによって、仏式の花立て９Ｂにできるので、神式の葬儀の場合には、神式の花立て９Ｓそのものを用いることができ、仏式の葬儀の場合には神式の花立て９Ｓに構成部品（仏式装飾体１０）を取り付ければよい。また、神式用及び仏式用の２種類の部品を必ず用意する必要が無く、各宗教形式に対応させるための部品の点数を削減することができる。さらに、本実施形態では、磁石により着脱可能に構成しているので、固定ねじ等を用いる必要が無く、交換及び固定作業を容易にすることができる。
【００３３】
なお、本発明は前記各実施形態に限られるものではなく、上記以外の葬祭用具にも適用可能である。
【００３４】
また、前記各実施形態では、構成部品は磁石により着脱可能に構成されているが、例えば、第１の葬祭用具及び構成部品に凹凸構造を設けて着脱可能に構成しても良い。この場合、この凹凸構造により、構成部品を第１の葬祭用具に対してスライド移動させることにより着脱可能に構成しても良い。
【００３５】
また、前記各実施形態では、構成部品が１つであったが、２つ以上であっても良い。
【００３６】
さらに、前記各実施形態では、仏式及び神式に対応可能な葬祭用具セットであったが、その他の宗教に対応可能なものとしても良い。
【００３７】
その他、本発明は前記実施形態に限られず、その趣旨を逸脱しない範囲で種々の変形が可能であるのは言うまでもない。
【符号の説明】
【００３８】
１００    ・・・葬祭用具セット
２Ｓ      ・・・神式の写真台（第２の葬祭用具）
２Ｂ      ・・・仏式の写真台（第１の葬祭用具）
２１      ・・・天板部
２２      ・・・架台脚部
３        ・・・高欄（構成部品）
４        ・・・磁石
６Ｓ      ・・・神式の位牌台（第１の葬祭用具）
６Ｂ      ・・・仏式の位牌台（第２の葬祭用具）
６１      ・・・天板部
６２、６３・・・脚部
７        ・・・カバー体
８        ・・・磁石
９Ｓ      ・・・神式の花立て
９Ｂ      ・・・仏式の花立て
１０      ・・・仏式装飾体
【図１】
0006422459.tif 000002
【図２】
0006422459.tif 000003
【図３】
0006422459.tif 000004
【図４】
0006422459.tif 000005
【図５】
0006422459.tif 000006